(57)【要約】      （修正有）【課題】カーナビゲーションにおいて、インターネット通信を行ない、携帯波情報もカード情報も取り込め、充分な道路地図情報をＣＤから取り込め、また、GPS機械誤差修正を短時間で行なえるようにする。【解決手段】自家用車バックミラー車物体バイク物体自転車物体そして人及び動物を、カメラテレポーテイションストック画像ダイオード認識カード装置によって、カメラ確認、認識音声文字物体人動物ダイオード確認連絡技術及びカメラ物体カメラ焦点距離ダイオード認識確認技術発達によって全自動カーナビゲイション道路自家用車位置の少ない誤差の認識確認技術を用いる。【選択図】図１
2011209290.tif 000002
【特許請求の範囲】
【請求項１】
本先知的所有財産の先発明の多目的ナビゲイションは、カーナビゲイションと持ち運び使用出来るナビゲイションの二つの機能を持ち得た取り外し可能で持ち運び可能な二つ折
りの画像パネルを持ち得たカーナビゲイションでも有り持ち運び可能なナビゲイション装置。
【請求項２】
本先知的所有財産の先発明の多目的二つ画像パネル折りの画像カーナビゲイションは、車の電源と非常用の連続したダイナモ回転作動発電が出来る二連振り子型の自動充電池を
非常電源装置内蔵したナビゲイションシステム装置。
【請求項３】
本先知的所有財産の先発明の多目的二つ画像パネル折り画像の二つのアンテナは、一つはカーナビゲイションのインターネット用に使用されるためのアンテナで有り、もう一つ
のアンテナは、携帯電話用のアンテナで有り、携帯テレビ電話と回線を繋げて動画会話出来る装置。
【請求項４】
本先知的所有財産の先発明の多目的二つ画像パネル折り画像装置は、持ち運んで、超小型のライトカメラを内蔵した持ち運び可能なカメラ撮影可能なカメラ内蔵のカーナビゲイ
ション装置。
【請求項５】
本先知的所有財産の先発明の多目的二つ画像のパネル折り画像装置は、タッチパネル可能な二つ折画像ナビゲイション装置である。  
【請求項６】
本先知的所有財産の先発明の多目的二つ画像のパネル折り画像装置はテレビ画面を見れるテレビ映像を見るためのテレビ装置を内蔵したカーナビゲイション装置。
【請求項７】
本先知的所有財産の先発明の多目的二つ画像のパネル折り画像装置に超小型ラジオが内蔵されたカーナビゲイション装置。
【請求項８】
本先知的所有財産の先発明の多目的二つ画像パネル折り画像装置にGPSカーナビゲイションのCD装置の両面CD装置を使用して主な幹線道路の自然カラー画像風景を両面のCD装置
に画像と音声を取り込んだ自然カラー画像のカーナビゲイションの画像風景の有り方。
【請求項９】
本先知的所有財産の先発明の多目的二つ画像パネル折り画像装置にGPSカーナビゲイションの両面CDを作動装置説明として、二つの赤外線読み込み装置と特開2006ー254697号広
報の電磁石切り替え装置のインバーター装置積載の円形列状の絶縁体付きの複数圧電素子電磁石のレールモーター装置を内蔵したカーナビゲイション映像音声録音再生装置。
【請求項１０】
本先知的所有財産の先発明の多目的二つ画像パネル折り画像装置に2連MDの画像映像音声再生出来る音楽映像装置。
【請求項１１】
本先知的所有財産の先発明の多目的二つ画像パネル折り画像装置に超細ロングカードの画像映像音声再生出来る情報及び音楽映像装置。
【請求項１２】
本先知的所有財産の先発明の多目的二つ画像パネル折り画像装置は、携帯電話の携帯波とインターネット通信及びインターネット携帯波電気機械器具の携帯波ナビゲイションの
インターネット携帯波遠隔操作スイッチ作動出来るカーナビゲイション機能。
コメント
2008年6月13日PM20時38分書き忘れのナビゲイション追加画像説明を美馬牛カンキチ墫野
【請求項１３】
本先知的所有財産の先発明は、カーナビゲイションの自然色カラー画像のカーナビゲイション画像に非難通路などが書き入れられた立体ビル透視人工画像を自然画像に取り入れ
た人工画像表現を自然色カラー画像に取り入れたナビゲイション画像表現方法。
コメント
2008年6月17日PM21時3分14秒6月20日入金次第で本道へ行かなければならない事は、避けたい知的所有財産すべて書き終えてから、経済産業省及び特許庁へ先知的所有財産すべて
の商品の先知的所有財産番号公開を求めても、国及び企業が、実施しなければ、裁判にしかならないそればかりか、国の全額借金返済と都道府県市町村の全額借金返済は、誰が払う
のか国にと都道府県市町村に問いたい。
なんとかして、弱者庶民財団及び弱者庶民の自立はおそらく日本人の勝手の思いのはず
今度こそ特許法法律改正させてでも、弱者庶民の自立をさせなければならない。美馬牛カンキチ                                        
コメント
2008年6月17日PM22時42分52秒要約書を書いて補助先発明知的所有財産図面を追加するだけ美馬牛カンキチ
【発明の詳細な説明】
【技術分野】
【０００１】
本知的所有財産の先発明は一般道路自家用車に使用されるカーナビゲイションに関しての著作権原本説明。
【背景技術】
【０００２】
従来の自家用車に使用されているカーナビゲイションは、自然画像でない、人工画像のため、目的地を探す場合、わかりずらい面が多かった。
【０００３】
従来の持ち運びナビゲイションは、カード情報もインターネツト情報もテレビも、見れないばかりか充電池切れをすぐ起こしやすい欠点があった。(特許文献1,2,3,参照。)
以下図1~図7に対して従来のカーナビゲイションとの違いを説明する。
図1に於いて(1)は、多機能ナビゲイションで有り、(2)は、テレポーテイションストックカードのダイオード自然色カラーの平面立体認識色の形状ダイオード認識を済ませた幹線
道路及び歩道で、間接道路交通社会で自動車が、出会う物体のダイオード自然色カラーの平面立体認識色の形状ダイオード認識が済んでない物体を認識するため、カーナビゲイシ
ョンのテレポーテイション画像ストックカードに保管されている一つ一つの物体のダイオード自然色カラーの平面立体認識色の形状ダイオード認識を済ませた物体写真と同じ
物が有ればカメラ物体認識として、ナビゲイション音声注意走行及び緊急ブレーキを全自動システム化も可能なカメラ物体認識目視確認又は他の人の技術カメラ温度認識カメラ
を採用する事によってカメラ物体確認認識技術が、かなりカメラ高技術によって、車の走行社会でのカメラ補助安全確認装置社会時代の幕開けと言えるカメラテレポーテイショ
ン技術である。
更に、(3)は、インターネットアンテナで有り、(4)携帯電話アンテナで有り、この場合車社会の買い物においての情報買い物技術に於いて遠い知らない街での買い物をしてキャン
プなどを行ったりする場合、インターネットで、料理情報を取り入れ、街々それぞれの市町村役場又は商工会議所におかれて居るその街々のパンフレット情報をカード化したのが
携帯電話及びナビゲイション(5)の超細ロングカードの使用方法の一例で有り、(6)においては、最新の新曲または自分の聞きたい曲を二連超小型MDに録音したものなどを聞いた
りゲームをしたりする場合使用する(2)テレポーテイシヨンカードを使用した(3)インターネットゲームなどを楽しむ事が出来る(1)カーナビゲイシヨンである。
【０００４】
更に、(7)は、カーナビゲイション本体を止める装置である。
そして、(8,9,)は、カーナビゲイションを作動させるための、電源配線プラスとマイナス配線である。
そして、(12)は、9画面装置である。
【０００５】
図2に於いて図1とは少し異なった本図面で有り、(1)多目的ナビゲイシヨンで有り、(2)はテレポーテイションストックカードで有り、(3)インターネットアンテナで有り、(4)は携
帯アンテナで有り、(5)は超細ロングカードで有り、(6)は、2連超小型MDで有り(7)ナビゲイション本体支え金具装置で有り、(8)ナビゲイションプラス配線で有り、(9)ナビゲイショ
ンマイナス配線までが、図1で説明した通りである。
更に、(10)は、二連振り子型自動充電池で有り、(1)の多機能ナビゲイションの非常のための(10)の二連振り子型自動充電池装置で有り、(1)の多機能ナビゲイションの使用電気の
省エネルギー消費が可能な、(11)圧電素子4電子磁気分割装置ナビゲイション活用によって、更なる省エネルギー電気消費を目的とした装置で有り、(111)はテレビ回路装置で有り
ナビゲイションにテレビ画像を写すための回路基板装置で有り(112)は、ラジオ回路基板装置で有り、(1)ナビゲイションのスピーカーからラジオ音声を発生させるための(112)ラ
ジオ回路基板装置である。(例えば特許文献1の自動電池参照。)。
そして、(121)カーナビゲイションを外して持ち運びのナビゲイションシステムにした場合回りの風景画像を(5)超細ロングカードに収めたり、インターネット回線を使用して、写
真屋にインターネット携帯波によって、写真フイルム製造の依頼注文などが可能にする事が、出来るインターネットカメラナビゲイション装置で有る。
従って(130)は夜の風景を写すライト装置である。
そして、(131)は、二つ折画像装置の蝶番装置までが、図の構造取り扱い説明で有る。
コメント
2008年6月13日PM23時50分27秒(0006)の5行目で、本日分を終わりとする。美馬牛カンキチ
墫野明日で終わらしたい果たして何時から、ペンを置く。
コメント
2008年6月14日AM8時1分40秒朝の日差し差し込むだが大雪山まだ薄曇り微風蝉は何処から
カブトは子供達の手から蝶は、山の神と共に美馬牛カンキチ
【０００６】
2008年6月14日AM8時21分どうやら美馬牛だけの日差しの様子である。カンキチ書
図3に於いて(13)左側前後カメラ装置装置及び(14)右側前後カメラ装置は、走行時の左側の自転車バイク歩行者目視確認と(2)テレポーテイションカードのカメラ人物体動物の写
真体ダイオード認識確認が、出来るテレポーテイションカメラー装置のカメラで有り、(14)の
右側前後カメラ装置で有り、車の追い越し時などに、テレポーテイション補助物体人動物認識確認装置で有る。
更に、(17)左側ミラー装置及び(18)右側ミラー装置である。
そして、一番特徴があるのなら、(19)左側画像パネルは、バック時車右側の様子を写しバック後方のカメラつまり真後ろカメラによって、車庫入れは、超狭い場所でも車庫入れ可能
になり反対の(18)右側ミラー装置は、右ハンドルでは、車左側確認及びバック時の後方カメラ確認が音声マイクなどても、画面切り替えが出来る。
そして、(15,16,)は、ナビゲイション携帯波アンテナで有り、更に二本アンテナのため、一度に二つのインターネット回線の利用又は携帯電話の利用他のゲームなどを一度に楽し
む事が出来るカーナビゲイシヨン複数画像パネル装置で有り、ハンドル画像パネル装置も有る。
コメント
2008年6月14日AM8時51分29秒、車のカメラレンズには、2001年2月先考案で、有るが原本なしの魚眼と凸レンズの合わせレンズカメラ装置もある。魚眼レンズ画像修正として横長及
び縦長に画像修正原本存在としては、2001年5月3日で有る。2001年8月17日にしか魚眼レンズと凸レンズの合わせレンズの一つ削りレンズのカメラは、2001年3月だったと思われる
カメラレンズ装置の原本不在尚且つ、車のバックミラー一体カメラも、2001年3月で有り、だがこの車のバックミラー一体型カメラは、2001年3月上旬であるが、原本不在で有った。
そのため、先発明を、国の特許庁の法律改正で、全世界の提出特許確認及び知的所有財産の日本語公開義務及び企業側の全世界知的所有財産日本語公開義務に関して法律改正を、
行ってらって、先発明と先発明証明が、確実に出来る先発明優先権を、全世界の特許庁に訴えて行かなければならない事を痛感する次第である。蝉の声少し寒い初夏美馬牛カンキ
チ
コメント
2008年6月14日AM10時27分23秒頭丸刈りスキットしたところで書き始めるカンキチ墫野
【０００７】
図4に於いての説明を始める。
図1と図2の(2)のテレポーテイションストックカードの説明に入る。
図4の(27)は、自転車の写真カードで有り、(24)は女性の写真カードで有り、(29)は、男性写真カード であり、(30)は木の写真カードで有りこれら写真は、色と形つまり形状をダイ
オードノーマル信号記録認識してある(2)テレポーテイションストックカードシステムで有る。
次に横断歩道または道路上又は歩道を、(23)の自転車と男性が、歩道又は横断歩道又は道路上に居た場合車のカメラに人又は物体が、写った状態の時高速写真ダイオードノーマル
信号デジタル信号などの解析を行うと同時にかめら事態は、道路と歩道記録以外の物体は、すべてダイオードテレポーテイション写真形状比較を行って、同じ写真形状の場合には
テレポーテイシヨンカード磁気音声記録してある磁気音声が、人が居ます又は自転車に乗った人がいますなどのカメラ音声回答出来る装置。
別途説明
他の温度認識カメラ装置を更に追加積載した場合、テレポーテイション認識技術と(24)の女性と男性が、歩道にいた場合人のカメラ写真の夜のカメラ認識技術がどうしても、温度
でカメラ物体認識のテレポーテイションの写真認識技術を併せて使用する2001年6月から7月にかけての先発明技術によって、新たなテレポーテイションカメラ人及び物体及び動
物認識及び確認技術が出来上がる訳であり、図の4のテレポーテイション技術説明と新しいテレポーテイション技術説明である。
コメント
2008年6月14日AM11時9分2001年の先発明原本の書き忘れ数百件の先知的所有財産であるが、全世界の知的所有財産確認は、残ってる墫野和夫の先知的所有財産の先発明確認は、先
発明者の知る権利だけでなく、先発明を使って日本の国と都道府県市町村の全額借金返済活動を本格的に行う為に全世界に商品の知的所有財産番号の公開義務つけを政治団体に
訴えなければならない、事態である。
2008年6月17日AM11時18分22秒図の5のインターネットボタン説明美馬牛はまたまた曇り
【０００８】
図5のインターネットボタンスイッチ説明に入る。
図1の(12)の九画面ナビゲイションシステム項目を開いて、設定の所をリモコン移動して、選択して出て来る画面が図5で有る。
従って(31)は、インターネット接続ボタンスイッチ機能装置説明で有る。
そして(32)は、バックミラー前後カメラの人及び物体及び動物及び自転車及びバイクのテレポーテイションの人及び物体及び自転車及びバイク及び動物認識確認テレポーテイシ
ョンカメラ画像認識確認装置で有り、バック車間距離確認用カメラの設定ボタンスイッチ機能で有る。
そして(33)は、乗用車の位置を、テレポテイション位置白線ライン車位置などの地図位置書き込み認識とGPS乗用車位置認識の二つの位置認識を合わせる事で、より正確な道路位
置認識が可能になる構造で有る。
また、GPS車位置に対してはカーナビゲイション画像に出て来る自然道路一齣写真では、車のテレポーテイション位置が、CD認識されて折り、音声車位置修正も可能で有る。更に道
路が、正確な升目状ならば、縦横ライン認識も可能であるが、1ミリ2ミリの誤差確認は、カメラ写真指定位置とGPS位置で車の位置は自動修正ナビゲイション音声道路車位置連絡出
来る装置で有る。     
そして、(34)はラジオナビゲイション説明である。
ラジオナビゲイションは、車のラジオ装置に地図を乗せた安い価格の装置で有り、ただし条件としては、対向車全てにGPS位置確認認識を乗せなければならないという条件付きで
ある。理由交差点などの対向車をテープ音声で知らせるだけの装置説明である。
そして、(35)は、2001年10月19日(金)PM22時18分先発明考案で有り、座席の椅子全てをエアーチューブ入りの強化ゴム性のチューブ入り椅子であり、エアーの入ってない状態は、通
常の車の椅子で有り細くて薄いエアーゴムが上に取りつけられてる椅子で有り、超小型レールモーター型のコンプレッサーを使用したエアー空気圧ボタン電動空気仕切り弁調整
出来るナビゲイション設定エアー調整椅子装置説明。
コメント
2008年6月14日昼PM12時20分28秒昼食時間とする。美馬牛カンキチ墫野
コメント
2008年6月14日昼12時53分29秒薄曇り夕食の米は研ぐそして電気炊飯美馬牛カンキチ
【０００９】
図5のインターネットボタンと設定ボタンの説明で有る。
従って(36)は、緊急車両の目的地道順をナビゲイション画面緊急車両道順として書き込み更に緊急車両近い事と緊急車両接近ナビゲイションテープ又は他の音声報告機能説明。
そして、(37)は車つまり乗用車の空気圧を超小型重り回転型ダイナモ発電装置又はボルト取り付け型アンテナ炭素シリコン軽水素ニッケルソーラーパネル充電池の電源によって
、空気圧レールモーター電気スイッチによって、空気圧ナビゲイション無線波連絡機能出来る装置説明。
そして、(38)の自然災害ナビゲイション携帯波連絡で有り、水害に対しては水位センサーボタンスイッチ携帯波ナビゲイション危険水位連絡及び超小型鋼鉄風速計ダイナモ発電
電気計測危険風速携帯波ナビゲイション連絡出来る装置説明。
そして、(38)のトンネル火災の初期連絡として、カメラテレポーテイション連絡及び煙りセンサー携帯波ナビゲイション連絡出来る装置。
図5の(39)の車のバイブレイション連絡は、2000年1月の車のハンドルに特立バイブレイションを取り付けた装置此のほかナビゲイション携帯波アンテナ連絡出来るブレストバイ
ブレイションとナビゲイション音声連絡出来る装置。
そして、(40)ナビゲイションテレビ機能である。
そして、(41)は衛生テレビナビゲイション機能で有り、アンテナ扇折り畳み型そして自動円形ふせ型式後部上下移動自動式など、圧電素子車体天井アンテナなど等も有る。
図5の(42)は月予定週間予定入力音声事前通達機能。
そして、(43)は郵便物住所名前電話番号封書内容の概要説明をポスト型郵便局別途磁気読み込みスキャナ又はカメラスキャナ読み込みによって送り主と受け取る側の郵便局の決
められた番号によって、すぐに誰の手紙だかわ解るシステムで有り、手紙内容の概要説明までとなってる。個々の情報保護の観点からである。
そして、(44)は、後方車両カメラ映像距離、ストックデータ写真ダイオード写真幅ダイオード物体確認認識ダイオードセンサーによって、後方の車の危険車間距離を、車の後ろの複
数ライトパネルなどでナビゲイションシステム機能連絡出来る装置。
そして、(45)は、2連結以上モーター及びレールモーターのダブルモーターダブル制御発電モーターのナビゲイションブレーキシステム機能装置説明。(例えば実用新案登録文献1
参照。)(例えば特許文献2のレールモーター参照。)。
図5の(46)は、全面視界不備前後カラー色ライトラインを車の高い位置から放送面位置にカラー色ラインライトを照らして視界不備の場所を照らして相手に車の位置を目視確認
しやすくした装置。
そして、(47)は、ドア開閉ドア開閉スイッチ取って、車カメラ装置のテレーポーテイションカメラ人及び動物及び自転車及びバイク及び車のカメラ写真認識確認テレポーテイショ
ンカメラの道路走行物体確認をダイオード色の設定写真画像認識によって、ドアを明ける人へ音声連絡出来る装置。2001年10月17日PM9時18分先発明原本より
コメント
2008年6月14日PM16時42分7秒風呂に入り丸坊主の頭も洗いすっきりした所で、書く。
そして、(48)車内天井超小型収納ボックスをナビゲイションリモコン一つでモーターワイヤ折り畳み収納庫が、下がったり上がったりする装置。
そして、(49)サイドガラス電熱線の有り方として、二枚合わせガラスの内側に電熱線を入れたサイドガラス装置及び全面ガラスなどだが、全面ガラスに対しては上の部分だけに入
れるのは、全面ガラスの視界を妨げないための対策で有る。
そして、(50)ナビゲイションスイッチ全てダルマ型スイッチ機能。    
そして、(51)ナビゲイションヘッドライトガラス二枚合わせ電熱線内蔵ガラス
そして、(52)ナビゲイション泥はね防止ゴム装置電熱線入り低温度設定15度程度予定温度。
そして、(53)ナビゲイションインターネットコンサート舞踊、芸能、イベントカード紹介機能装置説明。
図5の(54)の、ナビゲイション設定機能子供おいてきぼり携帯電話車内設定越え温度発生の携帯電話連絡機能で有り、車内煙りセンサー感知機能携帯電話全自動連絡機能装置説明。
そして、(55)ナビゲイション商店街商品配列場所データーカードまたはインターネット紹介並びに、個人家の個人財産位置地図カード(介護用)機能装置説明。
そして、(56)ナビゲイション画面9画面機能装置説明。
そして、(57)のナビゲイションインターネット機能は農作物作付け状況カメラデーター公開機能装置説明。
そして、(58)は2001年10月15日(月)PM21時11分先発明考案アンテナカードスキャーナ及びアタッチメントカードは、一つのカードでなく複数のカードを接続して、一つのカード差
し込み口で、アタッチメントカード全てを読み込める機能装置説明。
そして、(59)のナビゲイション機能は、バッテリ液容量適性電気スイッチのカーナビゲイション音声及び文字連絡機能装置説明。
そして、(60)のナビゲイション機能は、ダイナモ発電量とダイナモの熱チエックのデーター画像公開機能装置説明。及びオーバー充電自動スイッチアウトシステム。
そして、(61)のナビゲイション機能は事故多発地帯メロデー音通達及び音声通達機能装置説明。
コメント           
2008年6月14日PM18時19分42秒夕食の段取りそして、薄雨雲の夕焼けまだ温度が低い北は、晴れの様子美馬牛カンキチ。
コメント
2008年6月14日PM18時57分57秒インスタントラーメン最後の山菜を食べて明日は買い物の様子少し頑張って行こう美馬牛カンキチ
【００１０】
図5の説明の続きを始める。
そして、(62)のナビゲイション機能は、通常リモコンと異なり自動充電池内蔵手袋で有り指
スイッチ弱電波センサー 機能装置説明。
そして、(63)のナービゲイション機能は、コードスピーカーを使用せず自動充電池内蔵のアンテナ電波受信スピーカーを使用したカーナビゲイション音楽演奏サウンドシステム。
そして、(64)のナビゲイション機能のインターネット及びカード機能の個人薬服用時間及び自動充電池内蔵血圧脈拍計測全自動携帯波連絡インターネット連絡(インターネット
全自動24時間データー計測コンピューター連絡データー収録ロボット)又は公衆トイレ全自動排泄物全自動検査システムは、ナビゲイション又は携帯カード又は携帯電話データ
ー全自動連絡システム機能装置説明。(特許文献1参照。)。
そして、(65)のナビゲイション機能の道の駅及び情報カード及びインターネット音声通達システム。内訳食料品の広告情報及び食料品に取り扱われる紙情報及びプラスチック情
報及び、取り扱って入る運搬車などの、利用エネルギー名。
そして、(66)のナビゲイション機能のハンドル振れ緊急音声バイブレイション通達システム機能装置説明。
そして、(67)のナビゲイション機能のエアーチューブシートベルト機能装置説明。
コメント
2008年6月14日PM20時15分54秒図面番号名称書き込み準備となる。美馬牛カンキチ
2008年6月14日PM20時30分56秒洗濯機槽に風呂の余り湯入れて付け洗い美馬牛カンキチ。
2008年6月14日PM20時42分42秒洗濯機付け洗い後再び書き始める美馬牛カンキチ。
図5の説明の続きを始める。
従って(68)のナビゲイション機能の道路危険状態バックミラーライトカメラ携帯波非常カメラ映像音声連絡機能装置説明。
そして、(69)のナビゲイション機能の画像装置本体にの設置方法として、差し込み式取り付けボルト方式によって、ビニールの下は、ステンレス金具固定になっている構造。更にカ
ラーゴム取り付けカバー方式の機能装置説明。
そして、(70)のナビゲイション機能の列車踏み切り時間踏み切り接近300メーター200メーター100メーター50メーター事前音声通達連絡機能装置説明。
そして(71)のナビゲイション機能の落石危険予知連絡機能装置説明として、アンテナ自動充電池携帯波全自動連絡装置内蔵レールモータースプリング電磁石電気反応携帯波連絡
機能装置説明。(特許文献1参照。)。
そして、(72)のナビゲイション機能の路面接地危険度通報システムに対して雨または雪による路面凍結などに拠る危険箇所携帯波危険場所手前携帯波緊急連絡によって、道路情
報センターに直接繋がる危険箇所緊急連絡システム機能装置説明。
そして、(73)のナビゲイション機能の車の水量のゴム弱電波水位センサースイッチ携帯波連絡又はオイル及びブレーキ油及びミッション油及び油などのゴム球弱電波オイル量セ
ンサー携帯波連絡機能装置説明。
そして、(74)のナビゲイション機能の除雪状況カメラ携帯波道路情報センター緊急連絡機能装置説明。               
コメント
2008年6月14日PM22時24分10秒残り11項目追加頑張って行こうカンキチ美馬牛
そして、(75)のナビゲイション機能の超小型2連両面MD録音再生機能装置説明。
そして、(76)のナビゲイション機能の圧電素子4電子磁気分割装置による省電気消費エネルギー装置の機能装置説明及び他の装置比較説明。(特許文献3参照。)。
そして、(77)のナビゲイション機能の無害無給油連続作動発電機のシステム計器チエック説明及び補助電源説明の機能役割及び機能装置説明。(特許文献1,2,参照)
そして、(78)のナビゲイション機能の無害無給油連続作動の二連振り子型自動充電池。(特許文献2参照の2連振り子型機械式発電機参照。)。
そして、(79)のナビゲイション画像本体機能のライトカメラ機能装置説明。
そして、(80)のナビゲイション録音再生の超細ロングカード機能装置説明。
そして、(81)のナビゲイションのインターネット及び携帯波の二つの電波を同時に使用するための二本アンテナ機能装置説明。
そして、(82)のナビゲイションの録音再生可能な両面CD機能装置説明。                  
そして、(83)のナビゲイションの本体地図CD表裏赤外線録音再生機能装置説明。        
そして、(84)のナビゲイションの本体映像二つ折パネル装置のタッチ補助パネル機能装置説明。 
そして、(85)のナビゲイションのバックミラーアンテナ液晶機能装置説明。
2008年6月15日AM8時14分40秒野沢菜茶ずけ朝食珍しく晴れ美馬牛
2008年6月15日AM9時16分55秒図面の補正終え図6から再開 カンキチ美馬牛
【００１１】
図6の説明に入る。      
図面の左図は、山岳ヘリコプターであって夜取り外し可能な多機能ナビゲイションの(109,110,)ライトカメラが、奇麗な映像を写せる為に、又は山奥の沢などで、(118)テレビ電波
と(117)携帯(117)電波とラジオ電波と(99)衛生テレビ波が、届かない場合、(116)山岳ヘリコプターの電波空中リモコン位置安定の電波中継の(100)複数ライト基地によって、(109
,110,)地上のナビゲイションライトカメラ装置の夜の撮影可能なライト電気を空中の山岳ヘリコプターが、(96)の2連結以上モーターと(98)二連振り子型機械式発電機の電気エ
ネルギーと(96)の二連結以上モーターと(95)のプロペラを使用して、空中へGPS空中位置装置で安全位置を確かめて地上のライトカメラナビゲイションのライト電波補助が出来
る装置。
【００１２】
図7のナビケイションCD表裏の両面再生録音可能な道路CD地図を表裏再生録音可能な(114,115,)赤外線又はレーザー装置を備えた録音再生装置で有り、(111)は、レールモーター
で有り(127)は電波のノイズ(読み込み電波の乱れを磁気正常化させる圧電素子4電子磁気分割装置で有り、(112,113)は外部電気配線で有り(1)ナビゲイション本体に繋がってる。
追加説明として、(1)本体ナビゲイションにCD表裏地図内蔵したタイプの持ち運びナビゲイションも有る。
【先行技術文献】
【特許文献】
【００１３】
【特許文献１】特開2003ー328925号公報
【００１４】
【特許文献２】特開2006ー254697号公報
【００１５】
【特許文献３】特開2004ー304992号公報
【００１６】
【特許文献４】実登3114491号公報コメント2008年6月15日AM10時25分30秒久しぶりの快晴買い物今日はナビゲイション取り敢えず終わらす美馬牛カンキチ。
【発明の概要】
【発明が解決しようとする課題】
【００１７】
以上述べた従来のナビゲイションでは、車全体のメンテナンス音声連絡は、なく更にインターネット各分野特に医療現場と連携した医療の有り方もなく、従来のカーナービゲイシ
ョンは取り外し可能なナビゲイションカメラライトもなく、更に携帯電話カードと同じナビゲイションカードの情報収集のための超細ロングカードまたは2連表裏MDの活用によ
って、更なる2連振り子装置の自動充電池のナビゲイション本体非常電源装置を備え夜間のライトカメラ撮影更に山岳ヘリコプターの複数ライトアップ電波中継並びに、車のバッ
クミラーアンテナカメラ画像装置のテレポーテイションカメラ装置によって、バイク自転車歩行者の車のカメラ認識確認音声文字報告出来る装置も実際に今まではなくて、豊田
自動車の前方の車の車間距離又はサイドの車間距離を教える技術だけでは車の安定位置が、図れない車の技術事情が有った。
【００１８】
本先知的所有財産の先発明証明原本に基とずいたこのような複雑なインターネットナビゲイション車社会とは異なりナビゲイションの車道の実際の道路幅位置に対しての位置
確認及び位置認識技術問題と人と物体と動物などのカメラ確認認識技術を問題を解決使用とするものであり前方との車の距離または危険車間距離を文字または音声連絡又は視
界の悪い場所での対向車連絡装置を、備えたより安全な車社会を築くための複数の安全補助装置を備えたナビゲイション多機能装置によって、より良い車と一体になった生活が
出来る事を目的とした2001年頃から、北海道庁の全額借金返済の為に考案した著作権技術の実現化。
コメント 
2008年6月15日AM11時8分17秒晴れの晴れ気持ち最高美馬牛カンキチ。       
【課題を解決するための手段】
【００１９】
そして、本先発明は、上記目的を達成するために、CD装置を表裏の両面使用の今までの2倍の情報をナビゲイション画面に写し出す事が出来るようにして二本の携帯波アンテナ装
置を備える事で、複数のインターネット情報又は携帯情報を一度に8つの携帯回線取り得る事を出来る一本のアンテナに絶縁体付き携帯アンテナ4本を束にした携帯波ナビゲイシ
ョンアンテナ装置を備えた9画面又は18画面二つ折ナビゲイション画像装置で有る。
コメント
2008年6月15日(日)昼PM12時4分58秒泉さんの桜は、もう忘れたのかな、それとも気を一度に使い過ぎて年を取ったのかな、もう少し頑張って、先知的所有財産書き上げて置かなけ
れば将来これからの、子供達の生活を守ってやる先知的所有財産確定必ずやり遂げる美馬牛カンキチ。
【００２０】
また、第2の課題解決手段として、多機能ナビゲイションの機械機能の電源確保として、2連振り子機械式発電機の電気エネルギーが、有ってこそ多機能ナビゲイション24時間フル
機能は2連振り子薄いダイナモ回転作動の連続作動発電池によって電気が賄われるナビゲイション装置。
【００２１】
そして、第3の課題解決手段として、ナビゲイションインターネットで情報収集不可能な情報を超細ロングカードと2連表裏両面MDの情報ストック装置によって不足分の情報を、公
共の都道府県市町村及び商工会議所及び農業団体及び漁業団体及び建設建築業団体及び医療団体及びその他団体が、発行する情報を、記録入力したカードとMDで有る。
【００２２】
そして、第4の課題解決手段として、多機能ナビゲイションの電源確保に対しての電気消費を抑える事の出来る圧電素子4電子磁気分割装置によって、使用電源の熱電源エネルギー
放出を、熱電気リサイクル電気活用技術を確定した事によって無駄にして来た電気熱エネルギーを再びリサイクル電気エネルギー循環活用出来る電気使用システムとして、更に
圧電素子4電子磁気分割の電気熱磁気抵抗電気を、電気中から取り除いた電気を、電波回線回路に使用する事で、電波スピードを他の装置を使わず少し電波スピードを上げる事が、
出来て
尚且つ圧電素子4電子磁気分割装置又は圧電素子磁石に直接電気電波を通す事で、電気電波ノイズを取り除いたり、磁波の乱れによる電波の乱れを取り除いた説明を電波自動圧電
素子磁石修正先発明原本証明の世界先技術によって、電波の乱れ及び電気抵抗による画像の乱れを解消した美しい画像のナビゲイション画像とテレビ画像といんたーネット画像
のハイスピード回路電波によって、ナビゲイション電気消費を更に抑える事を可能にした圧電素子4電子磁気分割装置。
【００２３】
そして、第5の課題解決手段として、ナビゲイション自動車アンテナライトカメラ画像装置バックミラーのカメラ装置特徴は、2001年6月~7月にかけて先考案してたテレポーテイシ
ョンカメラ技術で有り当初、デジタルカメラ又はノーマルカメラに自分のデジタル画像を写していた画像デジタル信号記憶カード又はデジタルあらゆる被写体写真をデジタル信
号記録したIC回路チップなとによって、デジタル信号カメラ及びノーマル信号カメラのこれから記憶して記録する写真画像に先にデジタル信号又はノーマル信号の確定してあっ
た自分のデジタル信号写真をこれから撮ろうとする被写体にカメラ電気信号で、被写体に自分の姿を組み込む技術を、当初テレポーテイションカメラ技術と言い、携帯ライトカメ
ラ又はナビゲイションライトカメラに世界に先駆けて先技術応用する予定のカメラ技術に対しての過去のフイルム合成焼き付け技術でしか出来なかった技術を、デジタルカメラ
またはノーマルカメラ又は他の電波カメラつまり、画像を一度電波記憶処理出来るカメラすべてに活用出来る合成写真の画像電波処理出来るすべてのカメラに使用出来たテレポ
ーテイションカメラ技術説明である。
上記文章のテレポーテイション写真電波処理合成写真技術説明を受けて、更なるテレポーテイション車カメラの人及び動物及び車または自転車またはバイクのカメラ確認認識及
びの文字及び、電波及びカメラ画像全自動記録データー処理判断の機械音声又はただのカメラ機械記録音声連絡出来る車カメラのテレホポーテイションカメラ技術で有り、ここ
までのカメラ合成写真デジタル電気信号またはノーマル信号によってしか出来なかったカメラ画像記憶記録装置が、あってこそ出来たこの当時は磁気画像音声記録カードを取り
付けたカードライトカメラ携帯電話技術または、ライトカメラナビゲイション技術またはカードライトカメラ技術が、2001年にあったため、更に写真合成技術と言うテレポーテイ
ション物体瞬間移動の意味を長年に渡って知り得てた者が、デジタル信号カメラ時代の到来に気が付く事で、未来合成写真技術として、遅れてのテレポーテイション写真合成技術
発表とします。
更に、テレポーテイション合成写真技術応用は、車社会の補助カメラ自身の人または物体または動物のカメラレンズ光度ダイオードデジタル信号または光度ダイオードノーマル
信号記憶磁気記録又は開発途中の磁気有機EL記録などの、カメラレンズ光度デジタル及びノーマル信号画像記憶記録技術が、すぐに出来た時代であったため、次なる車カメラレン
ズに写し出された画像それぞれの記憶画像形状を、カメラ画像電波の出入り可能なシステムにカメラレンズ記憶画像形状の画像形状認識を、テレポーテイションと言う名の物体
瞬間移動技術は、2001年の時を経てノーマル波そして、デジタル波の日本マスコミ社会出現によってまず、カメラ電波の社会先駆けての合成写真でなく、デジタル及びノーマル信
号の映像記憶信号事態のストック映像信号とこれから写し出される映像信号比較の相違性写真と同意性写真の瞬間判断するための、不完全信号処理であっても、まず先にどうし
ても急いで進めなければならなかった映像信号比較の相違性写真と同位性写真の比較の全自動同位性写真のカメラ機能確定判断そして、文字及び音声連絡は、電気抵抗の取り除
いた電気であればこそまずは、ここまで、出来たカメラテレポーテイション物体比較認識確認文字音声変換までのテレポーテイション第2の物体カメラ確認技術説明をこの場を借
りて説明する。
第3のテレポーテイション説明として更にテレポーテイションの公の知り得た技術応用説明とする。
問題は、カメラシステムの電気システムも、圧電素子4電子磁気分割装置によって、電気抵抗は、世界に先駆けて電気中から取り除く事は、圧電素子磁石が、磁気電子集合体でも有り
、電気は、プラス磁気電子とマイナス磁気電子の解釈であっても、たとえ電気文化の本に書かれてなくても、一般社会人でも理解出来ると思えます。 
しからば、第2までのテレポーテイション物体移動確認認識文字変換及び音声変換までが、この世の物体移動確認技術でなかった事に、テレビの温度確認カメラの他人の技術登場
は、ダイオード温度認識カメラだとは、すぐに理解出来た。
更なるテレポーテイションカメラの物体認識瞬間記録記憶判断技術に欠かせないもう一つの技術それこそが、テレビ公開された、他人の温度カメラ技術のテレポーテイションカ
メラ技術応用であった。
おそらく、温度認識カメラ技術者と話し合いでなければ解決出来ない第3のテレポーテイション物体移動確認の温度確認が、どうしても必要としているのも事実です。
上記説明までは、夜のカメラ物体移動確認認識の正解率は、カメラ補助確認装置としは、BM自動車に続いて世界で2番目の技術で有ったはずである。
バックミラー一体型の映像装置取り付け技術説明。
バックミラーにライトカメラだけでなく映像パネルを取り付けた理由それは、車つまり自動車は前ばかり見て運転していただけでは、事故は起こらないなど、ウソを書く人の為に
見えない位置を一度に同時に後方左右確認を目視で、行う事事態が目がとても疲れるのは、先に断っておきます。
したがって、GPSナビゲイション車道左右位置認識データー確認及びカメラテレポーテイション認識が、全自動で行われても、何らかの理由で追い越そうとする自転車バイク車の
左右のミラー確認と同時に後方車両との車間距離を、テレポーテイション技術の一環で有るカメラピンと距離比較技術は、カメラピントそれぞれの距離数値データー記録認識技
術が、必要とされた車車間距離維持の危険車間距離運転者バイブレイションまたは音声通達またはメロデイ通達によって、事前危険通達技術をカメラピント技術記録データー認
識によって、 眠気運転または、疲労運転の自覚を目覚ます効果を得るために先考案してあったテレポーテイションカメラ技術第四の技術公開で有る。
上記テレポーテイション第4の技術によって、車庫入れは、すべてライトカメラ確認データーは、バックミラー一体型画像装置確認に拠って、バック確認がしゃすくしたバックミラ
ー一体型装置。
コメント
2008年6月15日PM15時51分33秒美馬牛カンキチ小休止のため、テレビを見る。
2008年6月15日PM15時59分58秒ひょこり望むまだ残雪の大雪山すっかり雪が消えると夏は、猛暑になる。美馬牛カンキチ
【００２４】
第6の課題解決手段として、ナビゲイション画像目視確認に置いてのリモコン画像切り替え従来技術のリモコン装置では、一々リモコン装置を手に持っての操作のため、車を運転
しながらのリモコン操作として、考えられるのは、圧電素子磁石音声カナ一つ字圧電素子磁気記憶ICチップ音声切り替え技術によっての音声磁気記録ICチップ記録データー呼び
出し技術そして、ハンドル圧電素子と電気の通るプラスチック素子体スイッチなどのハンドルスイッチなどによって、ナビゲイション画面切り替えの行いやすいシステムを実際
に次に掲げる手袋自動充電池リモコン指スイッチによって、画面切り替えする技術を図6に掲げ、安全運転の妨げにならない最小限の画面切り替え技術においても、将来は、全て全
自動化を、考えなければならないばかりか、既に全自動とは墫野和夫の知り得ている認識とは、全自動補助確認技術として、改めて将来書き直す時が、来る事をロボット安全補助運
転技術として前書きしておきます。
従って、上記文章説明したように数々有るナビゲイション画面切り替え技術の中の手袋自動充電池ナビゲイションリモコンセンサー装置を超小型にして行く事を目的とした手袋
型ナビゲイション指スイッチリモコン装置型のナビゲイションリモコンスイッチ説明とする。
コメント
2008年6月15日(日)PM17時1分30秒、買い物は明日に予定変更とする。
【００２５】
第7の課題解決手段として、図6の山岳ヘリコプター電波空中中継基地(人口衛生を除いた他)の複数ライト装置他の説明を始める。      
山岳ヘリコプター技術説明に中って、無害無給油連続作動発電機の複数有る中で、2連振り子機械式ダイナモ回転連続作動発電機を、軽量化した発電機とプロペラ装置を、連続回転
作動させる事の出来る二連結以上モーターダイナモ装置とナビゲイションインターネット複数通信するための8回線携帯波又は無線波又は衛生波のインターネット8回線同時通
信に対して必要とされる8回線アンテナを備え付け更に、超小型衛生アンテナ二つの衛生アンテナ装置を備え、地上の携帯波アンテナに衛生波を一度携帯波に直した電波を送る技
術で有る。
ただし、車が走行してからでは、山岳ヘリコプターの衛生波の携帯波切り替えでなければ、
車の衛生テレビ波装置自体、車の車体アンテナつまり、一番簡単な技術として、テレビ衛生アンテナ自身を自動車天上パネル化した装置などが、将来の衛生テレビを見るための自
動車衛生テレビ自動車アンテナにしかならない、現状の事実だとも言える。
ただ風抵抗をなくした衛生テレビアンテナ技術にしかならない。
この場合、将来は自動車衛生アンテナ車天上パネルアンテナパネル組み立て型が、おそらく
支流になると言える。
上記文章説明の続きを始める。
地上の取り外し型カーナビゲイションライトカメラは、夜の風景撮影のため、夜景を明るくするために、カーナビゲイションのセットオブションで有り、車の屋根天井にアンテナ
リモコンモーターカギセット出来る山岳ヘリコプター装置。
コメント
2008年6月15日(日)PM17時48分42秒少し早めの夕食時間とする美馬牛カンキチ墫野。
2008年6月15日PM18時39分52秒美馬牛農協跡地からフキを一本調達山菜ラーメンを食べ米を研いで炊飯スイッチ入れ課題を解決するための手段を書き始めるカンキチ。
【００２６】
第8の課題解決手段として、カーナビゲイションの過去の画像とこれから始めようとする画像の状況説明を始める。
今まで又は、現在のナビゲイション画像は、道路平面図が主体である。
ナビゲイション画像に対して一度に発信出来る情報として、今まで使用されているCD技術を更に表裏の両面録音再生出来る両面CD又は両面MDまでとし、両面CDの片面は、道路平面
図に一齣写真の重要起点のカラー自然画像採用写真を取り入れた建築物年数と消化器設置場所と活断層図面と最近起こった地震震源マップと最近起こった地震によって、移動し
たマグマ方向による活断層域と世界地震マグマ移動図紹介更に実際に地震が起きた場合の地震緊急食料などの買い付け場所などの紹介更に、非難場所紹介などであるが、刻々変
わる地震情報に対して、超細ロングカードなどの都道府県市町村などの地震情報カードを表裏CDの情報と一緒に見る事が出来るナビゲイション情報表裏CD装置で有る。  
更に、表裏CDに使用されるモーターは、特開2006ー254697号公報の先発明原本説明で有りレールモーター自身、コイル巻が、なくても圧電素子磁石だけでも、電磁石切り替え可能な
圧電素子磁石は、日本語では、磁極切り替えスイッチ装置で有り、外国名はインバータースイッチ装置と、言うのだが、制御モーターとしては、世界トップの制御モーターで有り、省
電気エネルギー消費の超薄型及び小型が可能なレールモーターで有り、ナビゲイション省電気消費を圧電素子4電子磁気分割装置によって、可能にしたナビゲイション表裏CDモー
ターシステムのナビゲイション平面道路地図説明である。
追加説明。
平面道路地図に変わって、道路車ビデオ撮影又は山岳ヘリコプター道路航空撮影画像を主体とした道路地図作成の原案は有るが、平面道路地図と一齣自然カラー道路写真地図併
用技術が先になる。
更に、ビル立体空間非難通路画像及びビル屋上立体空間通路などの紹介と、消化器設置場所紹介、ビル立体空間非難通路地図など火事が実際に起こった場合の煙の流れの予知予測
図などの紹介になる。
公開上では、実際に使用されない、ナビゲイション地図とは、カーナビゲイションスコープ立体地図で有るが、地震学予測学問に対しての道路付近建築物保護方法として、子供達が、考えて行かなければならない課題なのかもしれない。追加説明文章とする。
コメント
2008年6月15日PM20時30分11秒残り3500字美馬牛どうやら外は雨明日は道庁に電話して多機能携帯の図面コピーだけを送り返して貰う事とする。コピーを取って置くのを忘れた
ためで有る。
【００２７】
第9の課題解決手段は、カーナビゲイションのインターネット残り原本説明とカーナビゲイション設定説明を始める。  
2001年4月27日美馬牛市街地で、当初北海道庁の全額借金返済を年頭に北海道民財産として、カーナビゲイションシステムとして、先発明先考案とした知的所有財産を北海道庁200
1年5月10日先発明原本受理書に基ずいて先知的所有財産文章の先発明証明文章財産権として文書説明を、第9の解決手段として始める
従って、これから未来増え続ける車のボタン計器類の運転者が、運転の妨げにならない場所にボタンと計器類を、取り付ける場合、インターネット回線の自動車点検かカーナビゲ
イシヨンの車の始業点検の設定枠に中る項目になる。
ただし車の仕業点検回路は、別に設ける事として固形窒素回路を使用しなければならないのは、車のオーバー電気による電気回路故障と電気回路焼き付けを防ぐ事を目的とする
ため、このようなカーナビゲイション回路設定を行う。
従ってナビゲイション設定自動車点検ボタンとして、車の全面ガラス電熱線は、二枚ガラスの中に電熱線を入れる電熱線構造としたサイドガラス他全ての電熱線ボタンは、ナビゲ
イションボタンで行い。
非常ボタン設定として、表面に出ない、車の前ガラスの下つまり車電気回りヒューズの横にカーナビゲイシヨンが故障した場合の非常ボタン設置場所説明とする。
【００２８】
第10の課題解決手段として、ナビゲイションが、故障した場合の対策として、携帯電話カード装置を車に接続して、補助の車の仕業点検及び車の運転に係わる最低限の補助システ
ム回路の非常設定ボタンを押して車情報システムカードを入れる事によって、車の運転は再開出来る構造とする。
更に携帯GPS地図は、車のバックミラー映像に非常地図として、写し出される構造も持ち得てる。
コメント
現在時刻22時12分12秒2008年新しくカーナビゲイションの補助システムつまり、カーナビゲイションが、故障した場合の事を書き足している作業も行っているのだが、実際に北海
道知事には、この原本の写しは、見せる事になるのだが、日本の大学又は海外に籍のある日本人などの日本からの特許提出などは、海外人取り扱いになるため、日本語未公開の可能
性も有り、先行技術海外調査を、無料にしない限り先発明を生かした財産作りから、先発明財産に基ずく先財産権の先発明優先権としての平等な保護が実際に行われていないのが
、日本の特許法で有る事を、この場を借りて北海道知事に提言します。
現在の特許法を改めて、全て先発明保護と先発明優先に対して、世界の特許すべてを、日本語公開して、特許切れに対しては日本の全大学で、日本語翻訳して公開して、新しい技術
作成を、日本人誰もが出来て、無料の特許提出と無料の先行調査すなわち無料の先行調査自体が、世界の無料の先行調査こそが、無料の特許審査請求になる姿は、現在まで商品つま
り、特許認定だけでなく、商品を作って販売した利益から、特許料金収集の法律改正を、この場を借り手知事に北海道だけでなく、全国の弱者社会立て直しは、金の有るもの決して
多くの税金を払うとは言って来てません。
この文章を読んだならば、よろしく日本の弱者社会立て直しの事よろしくお願いします。
2008年6月15日PM22時33分42秒美馬牛カンキチ又はニャン墫野が本題に戻る。
【００２９】
第11の課題解決手段としてナビゲイション携帯波インターネット設定説明に移る。
従って次に掲げる項目は、全て携帯波自動充電池スイッチによる携帯波連絡とする携帯波連絡システムに関する項目説明をこれから始める。
尚、これから項目を並べる装置は、インターネットまたは設定ボタンによって、これから掲げるカーナビゲイションスイッチに対しての項目一覧説明になる。
第一項目として、車の空気圧自動充電池空気圧押し圧弁電気スイッチセンサー携帯波連絡。
第二項目として、水害の水位センサースイッチ携帯波連絡。
第三項目として、バイブレイションまたはブレスレットバイブレイション速度設定オーバーバイフレイション非常連絡装置。
第四項目として、カーナビゲイション家庭個人超小型携帯波情報ストック装置とカーナビゲイション情報装置は、繋がっており、カーナビゲイションバックアップ機能として活用
するため、もしカーナビゲイションが、故障した場合、家庭内の超小型携帯情報にカーナビゲイションと同じ情報収集機能を持つているため、ナビゲイシヨン故障非常ボタンを押
す事によって、携帯電話にナビゲイション情報が送られるナビゲイション故障バックアップ家庭超小型情報装置説明とする。
第五項目として、ナビゲイシヨン設定機能の月及び週予定ナビケイション文字入力音声入力音声又はバイブ文字事前通達機能。
第六項目として、ナビゲイションインターネット及び携帯電話連絡に対して郵便局に登録されている個人ポスト番号手紙アンテナスキャナ連絡によって、ナビゲイション及び携
帯電話郵便物到着郵便局アンテナスキャナ全自動文字及び音声連絡出来る郵便局システム。
第七項目として、ナビゲイション設定機能は、全面視界不備対策として、カラー色ライトラインブレーキ操作同時後方のブレーキランプと同時にカラー色ライトラインが、運転者
の視界に入らない設定距離のカラー色ライトライン装置説明。
第八項目として、ナビゲイション設定機能は、車のドア装置に接触した場合バックミラーの前後カメラのテレポーテイションカメラ作動によって、更に車には低いサイドライトに
よって、自転車及びバイクなどの物体テレポーテイションバックミラーカメラ確認によって車接近及びバイク接近及び自転車接近及び人接近及びカメラテレポーテイシヨン音声
非常バイブレイション連絡出来るテレポーテイションカメラ補助確認システム機能説明。
コメント
2008年6月16日AM8時41分47秒美馬牛曇りインスタントラーメン納豆一つ缶詰め一つ超微風、にわか雨でも有るような雲で有る北海道庁道政相談センター石川さんに電話して、知
事宛ての多機能携帯電話図面だけコピー送ってくれるように頼んだのだが電話待ち美馬牛墫野
第九項目として、ナビゲイション設定機能は、手袋指スイッチリモコン装置によって天井超小型収納ボックスをナビゲイションリモコン一つで、収納庫が下がる仕組みワイヤー折
り畳み収納庫装置。
第十項目として、ナビゲイション設定機能は、ダルマ型十字ボタンデザイン設計装置説明。
第十一項目として、ナビゲイション設定機能は、車の泥跳ね装置部分の凍結防止装置として、低い温度15度程度に電熱線温度を保ったニクロム線内蔵金属板内蔵の泥跳ね防止装置。
第十二項目としてナビゲイション設定機能は、インターネットインターネット機能は、コンサート及び舞踊及び芸能及びイベント情報の事前開催年月日時間金額の音声及び文字
写真動画説明出来るカーナビゲイション。
第十三項目としてナビゲイション設定機能は、自家用車車内に子供置いてきぼりナビゲイション携帯電話連絡システムで有り、車内の温度が設定温度以上になったり煙りセンサ
ー感知機能によって、携帯電話自動連絡する事によって子供達の命を車内温度煙りから守るための装置。
第十四項目としてナビゲイション設定機能は、会社及び工場及び自宅及びスタンド及び商店などの商品設定場所をナビゲイションのインターネット及びカード設定する事によっ
て、スーパーの商品位置などを事前に超細ロングカード地図データー入力可能で有り、携帯カード設定またはナビゲイションカード設定する事によって無駄な時間を省いた買い
物が出来る装置。
コメント
2008年6月16日AM10時9分51秒残り500字1ページあるかなしそのためもう一つ多機能ナビゲイションを容易する。美馬牛カンキチ      
コメント
2008年6月16日AM10時28分15秒美馬牛墫野書き切れなくて公の先知的所有財産の課題を解決するための手段の引き続きを書く。
【００３０】
そして、第11の課題解決手段の引き続きを説明する。
第十五項目のナビゲイション機能設定説明は、9画面のインターネット画面画像によるインターネット及び設定説明であり、農作物作付け状態早見画像写真カード機能装置説明。
第十六項目のナビゲイション機能設定説明は、絶縁体付きの4つの別々の回線と交信出来るアンテナ構造を持ったアンテナ2本を取り付けた8つの別々のインターネット又は携帯
電話の文字映像交信が可能なナビゲイション機能装置説明。
第十七項目のナビゲイション機能設定説明は、バッテリー液の適性容量の電気スイッチセンサーチエツクナビゲイション設定機能画像表示システム機能装置説明。
第十八項目のナビゲイション機能設定説明は、オーバー充電、自動充電池IC回路スイッチナビゲイション自動電源切断機能装置説明。
第十九項目のナビゲイション機能設定説明は、後部ダイナモ温度センサー熱チエツク機能
装置説明。
第二十項目のナビゲイション機能設定説明は、ナビゲイション事故多発地帯メロデイ事前通達及びカード音声及び2連表裏両面MD音声通達ナビゲイションシステム。
第二十一項目のナビゲイション機能説明は、電気消費データー確認チエックシステム。
第二十二項目のナビゲイション機能説明は、ナビゲイション車内サウンドステレオアンテナシステム自動充電池内蔵スピーカー機能装置説明。
第二十三項目のナビゲイション機能説明は、超細ロングカードの磁気書き込みデーター容量が足りない場合、カード連結アダプタセットさせて一度にたくさんの複数カード情報
を電気配線磁気読み込み出来る機能装置説明。
第二十四項目のナビゲイション機能説明は、ナビゲイションのカード機能で有り、個人の薬服用時間など全自動手首ブレスレット脈拍血圧自動測定と公共トイレの排泄物全自動
分析携帯電話及びカーナビゲイション全自動個人24時間ボデイチェック医療システム機能装置説明。
第二十五項目のナビゲイション機能説明は、ナビゲイションの道の駅イベント情報インターネット連絡音声通達システム機能装置説明。
第二十六項目のナビゲイション機能説明は、自家用車のハンドル振れ自動車GPS道路位置安定位置認識センサーによってテレポーテイションカメラ道路位置確認認識装置などに
よって眠気及びわき見運転によるハンドル振れ自家用車道路位置離脱に対して非常事態音声連絡出来るナビゲイション機能装置説明。
コメント
2008年6月16日昼 PM12時0分56秒昼のため、そして美瑛町へ食料買い物そして、北友建機20日給料日、職業安定所書類を容易して送る段取り美馬牛カンキチ墫野  
コメント
2008年6月16日PM15時57分58秒美瑛町へ食品の買い付けに向かって3000以上の買い物を、昼から自転車で往復する。当初フジスーパーで買い付けだったのが、花輪スーパーで買い
付けに行くが、帰り列車電車で折り畳み自転車を、乗せる予算であったが、袋ケースが、なければ手荷物扱いは、しないの事。  久しぶりにイカの刺し身を食べる美馬牛カンキチ。
2008年6月16日PM16時8分53秒漸く書きは始める。
第二十七項目のナビゲイション機能は、エアーチューブシートベルト装着機能装置説明。
第二十八項目のナビゲイション機能は、車衝突事前音声バイブ通達システムは、テレポーテイションの画像カメラ焦点の位置距離によって、車の車間距離を事前音声及びバイブ連
絡出来る車の車間距離全自動装置のテレポーテイションカメラ機能装置説明。
第二十九項目のナビゲイション機能の道路状況自動車サスペンション道路状況自動記憶データーを、道路管理局へ携帯波全自動連絡出来る機能装置説明。
第三十項目のナビゲイション機能のマイク機能に於いて圧電素子の音声自動書き込みによる自動磁気書き込みによるナビゲイション情報伝達機能装置説明。
第三十一項目のナビゲイション機能の後ずけカーナビゲイシヨン装置に於いて車に取り付ける場合の対策案として、車の前ガラスのプラスチック部分の下側は、金属枠とし、ボル
トナットが止めれる構造として、プラスチック蓋などが取り付けられている構造のナビゲイション機能装置説明。
第三十二項目のナビゲイション機能の踏み切り列車衝突防止ナビゲイション踏み切り通過列車時間カーナビゲイション事前通達機能は、圧電素子磁石の音声チップなどによって
、300メートル事前音声通達更に200メートル事前音声通達更に100メートル事前音声通達更に50メートル事前音声通達ナビゲイションシステム機能装置説明。
第三十三項目のナビゲイション機能の落石危険予知事前携帯波自動充電池携帯波スイッチ連絡機能装置説明。                                                        
第三十四項目のナビゲイション機能の道路路面の危険路面状況を、ナビゲイションカメラで、撮影して、路面温度カメラ計測して、道路情報センターに道路危険状態を携帯波全自
動連絡出来る携帯波連絡機能装置説明。
第三十五項目のナビゲイション機能の車の始業点検項目の水とオイルとその他油計器類の
電気ランプ点検項目を、カーナビゲイション始業点検項目とした、車の仕業点検機能装置説明。
第三十六項目のナビゲイション機能の衛生時計とは、異なった時間合わせ方法として、ナビゲイションNHK放送の時間を磁気読み込みによって、ナビゲイション時間合わせとした
時計機能。
第三十七項目のナビゲイション機能の車のライト自動点灯を、ソーラパネル光り高度量取り決め電気スイッチとして、車のライトの自動消灯は、ソーラーパネルの高度充電量によ
って同じくソーラーパネルセンサーによって、車のライト全自動消灯機能装置説明。
第三十八項目のナビゲイション機能の無害無給油連続作動発電機のシステム電気パネル表示の電気レベルゲージをナビゲイション設定機能に取り込んだ機能装置説明。
これら上記説明した第一項目から第三十八項目は、ナビゲイションインターネット機能項目それぞの先発明原本に基ずいた先知的所有財産説明であり、これら先発明原本に基ず
いた先行技術調査を行う事で、先発明事実確認をする事で、国の全額借金返済と都道府県市町村の全額借金返済に対して、先発明事実を確認出来る事で先発明特許提出の効果を発
揮する。 
コメント
2008年6月12日PM22時58分38秒図面番号書き終え漸く書き始める美馬牛カンキチ
【００３１】
そして、第12の課題解決手段の説明とする。
先知的所有財産の名称説明としてテレポーテイションカメラ物体人動物確認出来るダイオード光色度認識カメラの採用による人又は動物と物体の確認認識カメラによる認識装置と二連裏表MD装置と磁気情報画像音声カードと緊急補助作動用二連振り子自動充電池装置と圧電素子4電子磁気分割装置の省電気エネルギー消費装置の活用とインターネット活用に当たっての説明を始める。
バックミラー一体式のバックミラーライトカメラ装置は、バイク並びに自転車の車との接触防止をはかるため考案されたカメラ認識技術である。第二に後方カメラモーター移動
式の魚眼カメラ及び魚眼ととつレンズの合わせレンズのカメラ装置は、カメラ画像修正技術として、二つのカメラすなわち凸レンズカメラ映像との比較で、魚眼レンズ部分の映像
を均一に引き伸ばす技術を採用している点が特徴である。
コメント
2008年6月12日PM23時43分44秒明日のカレーの段取りのため、少し酔いぎみのためかここで、ペンを置くカンキチ。
2008年6月13日AM7時4分47秒朝食のカレー薄曇り蝉の声カッコウの声風微風ち
2008年6月13日AM7時31分37秒少し頑張って書こう美馬牛カンキチ墫野
第三機能は、ナビゲイションのカメラは、テレポーテイションカメラダイオード確認出来る装置であり、道路車線の位置とGPS位置確認と道路データー地図の再チェックで、道路位
置のナビゲイション位置再確認が出来る簡単な装置説明で有る。
第四の低価格ラジオナビゲイションは、多機能装置をすべてとり外し現在地インプットと主要幹線道路に対して走行距離上に信号のない交差点などの対向車連絡を、道路センサ
ー確認した車などを、車に取り付けられている音声装置で知らせたり、走行距離で危険地域を音声で知らせる事が出来る超小型音声ナビゲイションの簡単装置。
第五の装置説明は、緊急車両が、通る道筋又は緊急車両の接近をナビゲイションに連絡出来るシステム。
第六の装置説明は、車のタイヤ空気圧をアンテナ充電池又はアンテナ自動電池によって空気圧測定器及び温度測定機によって、電波情報ストック出来るシステム。
第七の装置説明は、水害の水位センサー携帯波及び無線波及びナビゲイション波によって、
つまり、使用が少なく混雑しない衛生ナビゲイション波を使用して風速計による危険な風である事を衛生波ナビゲイション連絡又はトンネル事故に対してもトンネル内カメラ全
自動テレポーテイション物体人確認装置によって交通ナビゲイション情報局へ全自動連絡し車の荷台脱落事故は、ワイヤロープの上に掛けられるスプリングロープ自動電池アン
テナセンサースイッチによってナビゲイション連絡出来る装置。
第八の装置説明は、ブレスレットバイブ連絡システム機能装置で有り、制限速度を越えた場合ナビゲイション危険事前予告を、自動音声とバイブ連絡するナビゲイションシステム。
第九の装置説明は、ナビゲイションテレビインターネット機能によって、ナビゲイションすべての機能は、家庭情報装置又は個人の車の情報をすべて管理する会社のデーターコン
ピューターによって管理され、ナビゲイションアンテナ説明として、車の天井屋根に取り付くキヤリアアンテナ又は扇折り畳み式及び円形自動モーター伏せ型式後部上下移動式
などを予定している。
第十の装置説明は、月予定及び週予定ナビゲイション入力そして、音声事前通達機能
第十一の装置説明は、郵便ポスト手紙住所氏名電話番号、インターネット番号郵便ポストスキャナが、郵便局に登録されている番号を読み取る事によって、自動に手紙の差出人及
び手紙の概要が自動ナビゲイション連絡及び自動携帯電話連絡出来る装置。
第十二の装置説明は、全面視界不備対策として、カラー色ラインライト全自動非常ブレーキランプシステム作動は、日中では、テレポーテイション確認出来ない雨吹雪など時に自
動に非常ブレーキ通達システムが作動する。
第十三の装置説明は、ドアの開閉装置を触るとバックミラー前後カメラのテレポーテイションカメラ作動によって、車及び自転車及びバイクの接近をナビゲイション音声自動通
達システムによって、危険事前通達出来るナビゲイションシステム。                        
第十四の装置説明は、図6の手袋自動充電池ナビゲイションリモコン装置によって、天井超小型収納ボックスをナビゲイションリモコン一つで、収納庫が下がる仕組みワイヤ折り
畳み収納庫なども考えられる。           
第十五の装置説明は、バックミラー電熱線システム更に全面ウインドガラス又はサイドガラスの電熱線スイッチに対して二枚合わせガラスの中に電熱線スイッチを入れたスイッ
チをナビゲイションリモコンスイッチ及び携帯電話スイチによって、作動出来るシステム
第十六の装置説明ナビゲイションダルマ型十字プッシュスイッチデザイン構造説明。
第十七の装置説明ナビゲイションA面B面CD両面画像及び音声情報収納システム装置説明。
第十八の装置説明は、車の泥はね装置部分のゴム及び金属部分にニクロム内蔵金属パネルに低い温度設定の電気を流して雪と凍りを全自動ナビゲイションリモコンスイッチで、
雪と凍りを取り除く事の出来る装置。
第十九の装置説明は、二連MDカード映像音声録音再生ナビゲイション機能システム説明。
第二十の装置説明は、超細ロングカードの映像音声録音再生ナビゲイション機能システム説明。
第二十一の装置説明は、テレポーテイションカメラの画像音声比較データーカードは、ナビゲイション本体に取り付けられるテレポーテイションカード装置。
第二十二の装置説明は、ナビゲイションインターネットコンサート及び舞踊及び芸能及びイベント情報の事前開催年月日時間金額の音声及び文字写真動画説明出来るナビゲイシ
ョン画像システム。
第二十三の装置説明は、車室内子供置いてきぼりナビゲイション携帯連絡システムであり、車内の温度が設定温度異常になったり、煙りセンサー感知機能によって、携帯電話連絡
する事によって、子供達の命を車内温度及び煙りから守るナビゲイション携帯連絡システム。
第二十四の装置説明は、会社及び工場及び自宅及びスタンド及び商店などの、商品設置場所をナビゲイションのインターネットカード事前記録などによって、スーパーの商品位置
などを事前にカード地図データー入力可能で有り、携帯電話にカード設置してスーパーの安い商品又は自分の買いたい商品を事前に家計簿カード設定する事によって、無駄な時
間を省いた買い物が出来る装置。
第二十五の装置説明は、ナビゲイションインターネット9画面検索システムで有り、手袋ナビゲイションリモコン装置及び音声で画面切り替え出来る装置。
第二十六の装置説明は、ナビゲイションインターネット機能による農作物植え付け状態早見地図及びカード地図情報によってデーター検索閲覧出来る機能。
第二十七の装置説明は、取り外し可能な、カーナビゲイションは、自動充電池内蔵のカーナビゲイションのため、二つ折の画像装置パネルの持ち運び可能な二本アンテナ式のカー
ナビゲイション(タッチパソコンになるナビゲイションパソコン及び携帯電話機能内蔵2008年6月13日AM11時25分)これら機能を備えた、取り外し使用可能なナビゲイションシス
テム。
第二十八の装置説明は、ナビゲイションシステムのカード口にカード型のスキャナ装置を接続して、カードスキャナ2001年10月15日PM21時11分先発明考案使用用途作品である。
第二十九の装置説明は、ナビゲイション目的地地図誘導システムである。
コメント
2008年6月13日AM11時45分55秒少し早めの昼食時間とする。尚且つ静穏な寒々な曇りで有る。未来農業の地下農業をするための、第一歩は、先知的所有財産の先発明確認が必要で有
る。
2008年6月13日AM12時11分56秒空き缶洗って投げて来るが少し寒い美馬牛カンキチ明日は北海道知事が、多機能携帯電話を読んでくれているを願って、今後の北海道社会をどの様
にして行くかが課題だが先発明の全世界の先行無料調査を行える日が近い事と8月には裁判書類提出今年こそは、特許法の不平等差を今度こそ訴えなければ、世の中が直らない現
状で有る。昼12時22分1秒再び書き始める。
第三十の装置説明は、ナビゲイション車バッテリー容量適性電気センサーチェックシステム機能。
オーバー充電、自動充電IC回路スイッチナビゲイション自動切断機能。2001年11月3日先考案
第三十一の装置説明は、後部ダイナモ熱チェック機能(2008年6月13日モーター熱チエック)
機能。
第三十二の装置説明は、ナビゲイション事故多発地帯メロデイー事前通達及びカード音声及び2連MD音声通達ナビゲイションシステム。
第三十三の装置説明は、ナビゲイション電気消費データー確認チエックシステム。2001年6月3日先発明考案。
第三十四の装置説明は、ナビゲイションアンテナ自動充電池内蔵スピーカー2001年7月下旬先発明。
第三十五の装置説明は、ナビゲイションの磁気カード容量が足りない場合、カードを連結アダプタセットさせて一度にたくさんのカード情報を電気配線読み込むための装置。
第三十六の装置説明は、ナビゲイションのカード機能で有り、個人の薬服用時間などを自動手首ブレスレツト脈拍血圧自動測定と公共トイレの排泄物全自動分析携帯電話及びカ
ーナビゲイション全自動通達機能。
第三十七の装置説明は、ナビゲイションの道の駅イベント情報インターネット連絡音声通達システム
第三十八の装置説明は、車ハンドル振れ道路GPS安定位置認識センサーによって、テレポーテイションカメラ道路位置認識装置などによって、眠気及びわき見運転によるハンドル
振れを音声連絡出来るナビゲイションシステム機能。
第三十九の装置説明は、エアーチューブシートベルト装着システム機能。
第四十の装置説明は、車衝突事前音声バイブ通達に対して豊田自動社の電波センサーは一切使用せずカメラテレポーテイションの画像カメラ焦点の位置距離によって、車の車間
距離を事前通達出来る車カメラ装置機能。
第四十一の装置説明は、道路状態サスペイション道路状況自車記憶道路管理局へ自動通達システム機能。
第四十二の装置説明は、ナビゲイションマイクの音声自動書き込みによる情報伝達装置機能。
第四十三の装置説明は、後付け対策として、車の車体の全面部分のプラスチック部分に、カーナビゲイション後ずけ専用のホルトナット付け金具とプラスチックカバー装置。
第四十四の装置説明は、踏み切り列車衝突災害を無くすために、列車踏み切り通過の事前ナビゲイション音声連絡を踏み切り接近によって、300メートル手前から列車会社の衛生
時計の時刻音声電波通達する機能。
第四十五の装置説明は、落石危険予知事前携帯波ナビゲイション波連絡出来る装置だが、落石の恐れがある大きい石には、自動充電池内蔵のスプリングレールモータースイッチ内
蔵の落石危険事前予知連絡システム機能。
第四十六の装置説明は、路面温度を、危険路面状況を、ナビゲイションカメラ確認して、ナビゲイションの事前の車危険情報電波伝達出来る装置機能。
第四十七の装置説明は、水の水位センサー電気反応スイッチ及びオイルのオイル電波浮き玉センサーのオイル量浮き球電波センサー及びオイル量電気位置連絡装置センサー及び
ブレーキ油の電気位置センサー及びミッション油の電気位置センサー及びバッテリー液の電気センサー確認の装置機能。
第四十八の装置説明は、ナビゲイションテレビのNHK放送の時間を、ナビゲイションの時計に全自動時間合わせ出来る装置。2008年6月13日PM14時47分13秒ナビゲイション衛生時間
書き込みがないため、追加先考案先発明とする。
第四十九の装置説明は、車のライト自動点灯装置として、ソーラーパネル太陽光照度設定センサーによって、車のライトをの自動点灯自動消灯を可能にしたソーラーパネル太陽光
照度設定センサー装置機能。
コメント
2008年6月13日(金)PM15時6分22秒塚崎商店へ買い物休憩時間とする。
2008年6月13日(金)PM15時30分50秒再び漸く日差しが戻り再開される
第五十の装置説明は、無害無給油連続作動発電機のシステムスイッチのナビゲイションレベルゲージ複数9画面表示装置機能。
第五十一の装置説明は、無害無給油連続作動補助発電機のナビゲイション全自動機能チェック複数9画面表示機能。
第五十二の装置説明は、二連結以上レールモーターダイナモダブル制御装置の作動状況電気チェック装置機能。
第五十三の装置説明は、山岳ヘリコプター無線波及び携帯波及びテレビ波の情報装置スイッチ機能。 
第五十四の装置説明は、圧電素子4電子磁気分割装置の作動状況電気スイッチ機能。
第五十五の装置説明は、レンズライト装置の電気配線スイッチ点検機能。
第五十六の装置説明は、カラー色ラインライトの電気配線スイッチ機能。
コメント
2008年6月16日PM18時5分58秒大雪山は窓越しに見えるが曇り太平洋側は晴れ日本海側は、曇り、金曜日は、職業安定所及び来月の仕事考えなければならない。美馬牛カンキチ。
【発明の効果】
【００３２】
上述したように本先知的財産先発明主張の原本に基ずいた、カーナビゲイションは、多機能インターネツトに基ずた車のカメラ人と動物と物体がカメラ確認及びカメラ認識連絡
装置によって、今まで不可能だとされて来たカメラ確認認識連絡を文字画像連絡と音声連絡がで切る装置などを使用した多機能ナビゲイションを提供出来る。
【００３３】
また、玉突き事故及び居眠り事故及びわき見事故をなくすため、カメラ焦点距離認識システムデーター内蔵カードに基ずいたカメラ装置による車の車間距離を、カメラ車カメラ焦
点距離認識確認装置によって、車の危険車間連絡が、かなり高度なカメラ前方車カメラ焦点距離自動計測によって、車社会の衝突事故削減の効果を発揮するもので有る。
【図面の簡単な説明】
【００３４】
【図１】カーナビゲイション9画面装置及び多機能装置平面図
【図２】二つ折持ち運びカーナビゲイション多機能装置構造説明図
【図３】カーナビゲイションバックミラーテレポーテイション認識確認カメラ説明図
【図４】テレポーテイションストック画像ダイオード認識カード装置相関図
【図５】インターネット画像平面説明図
【図６】山岳ヘリコヌプターと手袋型指リモコン装置説明図
【図７】表裏両面CDと装置と圧電素子電波電気画像ゴーストノイズ取り除き自動磁気修正装置 コメント2008年6月18日(水)昼PM12時4分21秒漸く夏到来なのであろう先発明原本図面のコピー段取りで、昼前終わるはずだった、ナビゲイションは、まだ終わらない。後もう少し頑張ろう。
【図８】北海道庁広報広聴第3ー37号2001年5月10日郵便物受理書に基ずいた先発明郵便物原本受理書。
【図９】2001年4月27日美馬牛市街地にて車種別認識確認ライト原本この当時永久発電機自動車を作る目的で書いた車装置で有り、すべて後書き換える事となる。
【図１０】自動車全面衝突吸収装置に関しての原本書面とこの当時永久発電機の他ダイナモ車軸発電モーターと連続バッテリー充電の先考案を書いてあった書面の写し更にダイナモ摩耗チェックデーター記録及び電気自動車装置のデーター収録に関する説明原本文字文章図面。
【図１１】2001年4月27日美馬牛市街地にて携帯波踏み切り列車事前連絡落石事前通達路面温度事前通達除雪状態事前通達など他を書いた先発明考案原本写しの文字文章図面。
【図１２】2001年4月27日美馬牛市街地にてバックミラー前後カメラによるカーナビゲイション自転車バイク車確認装置並び、ナビゲイションの道路車線カメラ確認GPS装置とラジオ付き位置確認だけの車の地図ラジオ説明と高速走行についてサイド衝突を防ぐ為に、GPS位置確認の安い装置をラジオ一体型として考えていた考案財産原本。
【図１３】緊急車両目的地ナビゲイション確認装置音声連絡とナビゲイションタイヤ空気圧ナビゲイション全自動チエック連絡に伴う三段階チエックそして最後が、道路状態チエックになる説明と自然災害などの携帯波ナビゲイション連絡高速運転ハンドル振れバイブレイション連絡など他などの2001年4月27日原本説明。
【図１４】2001年4月27日先考案してあった、カーナビゲション本体インターネット一例項目原本説明文章文字図面写し。
【図１５】2001年4月27日先考案してあったカーナビゲイション携帯電波連絡又は携帯電話連絡など、カメラ撮影携帯波ナビゲイション連絡による情報ナビゲイション確認の機能原本説明文章文字図。
【図１６】2001年4月27日先考案してあったナビゲイション機能の一例を文章文字図面の原本写し
【図１７】2001年4月27日先考案してあったナビゲイション自家用車機能の寒冷地の電熱線の必要性を書いた文章図である。
【図１８】平成15年1月6日岩手県胡四王簡易郵便局から墫野和夫の先知的所有財産の確認の為に東京都日本消費者連合殿へ送ったゆうパック領収書
【図１９】平成15年1月6日岩手県胡四王簡易郵便局から墫野和夫の先知的所有財産の確認の為に東京都NHKふれあいセンーター殿へ送ったゆうパック領収書
【図２０】平成15年1月6日岩手県胡四王簡易郵便局から墫野和夫の先知的所有財産の確認の為にアムネスティインターナショナル支部殿へ先知的所有財産を送ったゆうパック領収書
【図２１】平成15年1月6日岩手県胡四王簡易郵便局から墫野和夫の先知的所有財産の確認の為に東京都日本共産党委員会志位和夫殿へ先知的所有財産を送ったゆうパック領収書
【図２２】平成15年3月末日岩手県胡四王簡易郵便局から墫野和夫の先知的所有財産の確認の為に東京都社民党本部土井高子殿へ先知的所有財産を送ったゆうパック領収書
【図２３】平成16年1月4日旭川市中央郵便局から墫野和夫の先知的所有財産の確認の為に東京都民主党本部民主党党首殿へ先知的所有財産を送ったゆうパック領収書コメント2008年6月14日PM23時20分20秒本日誠に眠いので美馬牛カンキチ眠る事とする。
【発明を実施するための形態】
【００３５】
コメント
2008年6月16日PM21時52分45秒図面名称図面書き入れの為時間がかかる。
以下本先知的所有財産先発明の試作実施の形態を図1~図7に基ずいて説明する。
【００３６】
図1の(1)は、多機能ナビゲイションで有り(3)インターネットアンテナで有り絶縁体入りの
四カ所の別々のアンテナによって、四カ所別々のインターネット回線を繋ぐ事が出来る。
装置で有り、(4)の携帯アンテナは、四つの絶縁体で区切られた携帯アンテナで有り、四カ所別々の携帯電波情報を、(12)の9画面装置に画像と音声を取り入れる事が出来複数局イ
ンターネット複数局携帯電波情報装置。
更に、インターネットで足りない情報を、(5)超細ロングカードの磁気映像音声カードで有る。
そして、(6)超小型両面2連MDは、音楽情報に使用予定で有るが、インターネット不足分情報カードとしても使用可能である。
そして、(8)ナビゲイションプラス配線で有り(9)ナビゲイションマイナス配線の(1)多機能ナビゲイション装置で有り、(3)は、テレポーテイションカメラ装置のテレポーテイショ
ンストック画像ダイオード認識カード装置で有る。
【００３７】
図2の説明で、図1と異なる部分の説明を始める。
図2の(1)は、多機能ナビゲイションで有り、(10)は2連振り子自動充電池で有り(1)多機能二つ折画像ナビゲイション装置の電源を賄うための連続ダイナモ回転作動発電池で有る。
更に(1)多機能ナビゲイションの電気消費を押さえる為に、(11)の圧電素子4電子磁気分割装置で有り、電気中から電気抵抗を取り除く装置で有り、(111)のテレビ画像音声回路に
は、(122)の圧電素子体回路チップの画像電気ノイズゴースト取り除き装置とネオン充電池素子体回路チップは、(123)のラジオ音声文字回路にも、組み込まれて入る電気中の抵抗
電気が、最終的に画像と音声を、乱して入る現状から組み込まれて入る装置で有り、(3)のテレポーテイションカードは、(110)のカメラ装置と(109)のライト装置によって、写真画
像の中に自分の写真を組み込む事が出来る(3)のテレポーテイション第二のカメラ合成写真機能でも有る。
図2の残り説明は、図1の通りで有り、(120)二つ折画像蝶番装置説明で有る。
【００３８】
図3の(13)及び(14)はバックミラー前後カメラで有り、図1及び図2の(2)のテレポーテイションカードのテレポーテイションストック画像ダイオード認識カード装置で有り、(2)の
テレポーテイシヨンカードによって、(13,14,)のバックミラー前後カメラによって、横断歩道の人及び自転車及びバイク認識で有り前カメラ後方カメラによって、自動車の周囲の
自転車及びバイク及び自動車等の追い越しに対してカメラダイオード認識確認カード確認カメラ装置であり、(19,20,)のバックミラー映像装置は、(2)テレポーテイションカメラ
の音声による人、物体すなわち自転車及びバイク及び車のカメラ認識確認の音声説明又は(21,22,)車周囲確認システム画像装置ミラーの(13,14,)のバックミラー前後カメラの左
右の映像及びバック時、車庫入車時の確認の為のバックミラー(19,20,)のバックミラー映像装置で有る。
更に(15,16,)のナビゲイションアンテナは、カーナビゲイション携帯波画像情報を(19,20,)のバックミラー映像装置によって見る事が出来るカーナビゲイションカメラシステム
装置。
【００３９】
図4の(23,24,25,26,)は、テレポーテイションカメラ画像被写体で有り、テレポーテイションカメラ人及び物体及び動物確認するためには、(27,28,29,30,)のテレポーテイション
ストック画像ダイオード認識カード装置とのダイオード光度範囲及び同じ光度範囲の差をあらかじめ容易してあるテレポーテイションストック画像ダイオード認識カード装置
とのダイオード光り画像区域及び画像範囲の違いをダイオード電波読み込みによって、カメラによる人及び物体及び動物認識音声文字確認が出来るテレポーテイションカード説
明である。
コメント
2008年6月16日PM23時57分47秒ここまで、3日かかり明日昼前には、多機能ナビゲイションを
書き終える事とする。美馬牛カンキチ。
コメント
2008年6月17日AM9時18分29秒朝靄の強い日差し美馬牛市街地漸く初夏の暖かみカンキチ墫野20日までは、仕事探す。失業もしては、おれない。
【００４０】
図5の説明に入る。
図5は、インターネット多機能ボタンスイッチ機能の簡単なリモコンスイッチボタン説明を
する。
図の(31)は、インターネットスイッチボタン機能スイッチボタンで有り、(32)はバックミラーカメラテレポーテイション機能スイッチボタンで有り、(33)乗用車車道左右ライン車
安全走行確認位置設定スイッチボタン。(34)は、ラジオナビゲイション機能スイッチボタンで有り、(35)は、エアー椅子機能スイッチボタン。(36)は、緊急車両優先走行道路事前通
達機能スイッチボタン(37)は、空気圧連絡装置スイッチボタンで有り。(37)は、タイヤ空気圧連絡装置。(38)は、災害連絡ナビゲイションカメラ映像連絡機能スイッチボタン。(39)
ハンドルバイブレイション緊急連絡ハンドル振れ機能スイッチボタン。(40)ナビゲイションテレビ機能スイッチボタン(41)衛生テレビ機能スイッチボタン(42)月予定及び週予定
機能スイッチボタン(43)郵便物スキャナー機能スイッチボタン(44)自動車後方確認ライトカメラ機能スイッチボタン(45)2連結以上ダブル制御モーター機能確認スイッチボタン
(46)カラー色ライトライン機能確認スイッチボタン。(47)ドア開閉テレポーテイション音声文字連絡機能スイッチボタンで有り、(48)超小型天井式ワイヤジャバラ収納装置機能
スイッチボタンで有り、(49)サイドガラス全面ガラス他のガラスバックミラー二枚ガラス中電熱線機能スイッチボタン(50)全ダルマスイッチナビゲイション機能スイッチボタン
(51)ヘッドライト電熱線機能スイッチボタン(52)泥跳ね防止装置電熱線機能スイッチボタンで有り、(53)コンサート及びイベント情報インターネット機能スイッチボタンで有り、
(54)車内子供おいてきぼり携帯電話緊急連絡システム鍵ロックシステム機能スイッチボタン(55)商店街商品配列データーチェック機能スイッチボタン(56)ナビゲイション9画面
機能スイッチボタンで有り(57)農作物作付けデーター表機能スイッチボタンで有り、(58)アンテナカードスキャナ機能スイッチボタンで有り、(59)バッテリー液量ゲージチェッ
クスイッチボタンで有り(60)ダイナモ発電量データーチエック機能スイッチボタン(61)事故多発地帯メロデイ通達システム機能スイッチボタンで有り、(62)手袋指リモコン機能
スイッチボタンで有り、(63)アンテナスピーカー機能スイッチボタンで有り、(64)個人薬服用時間連絡機能スイッチボタンで有り、(65)道の駅情報インターネット機能スイッチボ
タンで有り(66)ハンドル振れ眠気運転道路設定位置離脱緊急バイブレイション通達機能スイッチボタンで有り、(67)エアーチューブシートベルトで有り(68)道路危険状態バック
ミラーカメラ携帯波連絡装置で有り(69)社外ナビゲイション取り付け説明機能スイッチボタン(70)列車踏み切り通過事前連絡機能スイッチボタンで有り、(71)落石予知事前連絡
機能スイッチボタンで有り、(72)路面設置危険度通達システム機能スイッチボタンで有り、(73)水及びオイル及びブレーキ油及びミッション油及び連絡システム機能スイッチボ
タンで有り、(74)除雪状況カメラ緊急連絡システム装置機能スイッチボタンで有り(75)超小型2連結表裏MD機能説明スイッチボタンで有り、(76)圧電素子4電子磁気分割装置機能
説明ボタンスイッチで有り(77)無害無給油連続ダイナモ補助発電機作動発電機機能説明スイッチボタンで有り、(78)二連振り子型機械式発電機機能説明スイッチボタン(79)ナビ
ゲイション本体ライトカメラ機能説明スイッチボタンで有り、(80)超細型ロングカード機能説明スイッチボタンで有り(81)二本アンテナ機能説明スイッチボタンで有り、(82)両
面表裏CD機能説明スイッチボタンで有り、(83)ナビゲイション道路地図両面表裏CD装置赤外線再生装置機能説明スイッチボタンで有り(84)二つ折れ画像タッチパネル機能説明ス
イッチボタンで有り、(85)バックミラー画像パネルアンテナ機能説明スイッチボタンで有り、(86)~(94)追加機能説明予備スイッチボタン構造のナビゲイション二つ折れ画像パネ
ルのインターネット機能スイッチボタン説明で有る。
コメント
2008年6月17日AM11時13分32秒現在の特許法が販売商品又はパンフレット商品に対して知的所有財産番号及び日本語説明の義務化に於いて、既に公開済みの2008年であったなら
ば、更に少なくても2000年だったならば、この様な知的所有財産の先発明先行調査するための資料を作らずに済んだのは言うまでもない、現在の状況では、知的所有財産書きをし
て先発明の先行調査請求の裁判を起こさなければならない事実で有る。
【００４１】
図6の説明に入る。
図6の山岳ヘリコプターは、先知的所有財産資料としも、書き上げてる先知的所有財産資料で有る。
図6の(95)は、連続作動電気エネルギーを24時間無交換発電機の電気作動の電気ヘリコプタープロペラ装置で有り、(96)電気コイル配線を4本以上の配線モーター回転制御出来る2
連結以上モーター装置で有り、(97)山岳ヘリコプター飛行機GPS装置及び空中位置安定電波中継装置で有り、(98)は2連振り子機械式発電機のダイナモ無休憩連続作動発電機で有
り、(99)は、山岳ヘリコプターGPSアンテナで有り、(100)山岳ヘリコプター複数ライト照明装置で有り、(117)携帯波アンテナAで有り(118)携帯波アンテナBで有り(116)は、山岳ヘ
リコプターライトカメラ装置で有り、この山岳ヘリコプターは、カーナビゲイション画像パネル装置と次に説明する、(121)ナビゲイション手袋型指リモコン装置で有り、山岳ヘリ
コプターのアンテナリモコン操作も、(12)車のカーナビゲイション画像パネル装置と(121)カーナビゲイション手袋型指リモコン装置で有る。
従って、(108)の自動充電池は、(121)ナビゲイションリモコン超小型IC回路装置と(103,104,105,106,107,)指カーナビゲイションリモコン操作指スイッチボタンを、(1O2)カーナ
ビゲイションリモコンスイッチ超小型IC回路マイナススイッチ配線は、(103,104,105,106,)にマイナスリモコンスイッチボタンにマイナス電気を流して、(101)にプラスリモコン
スイッチ電気を流して(107)のプラスリモコンスイッチボタンに電気を流す構造として入る。
コメント
2008年6月17日PM13時23分51秒旭川職業安定所へ行く墫野和夫。
2008年6月17日PM17時52分49秒取り敢えず失業保険手続きを行って、来たが再び書き始める
美馬牛カンキチどうやら、真夏に向かう段取りなので有ろう美馬牛カンキチ。
【００４２】
図7の説明を始める
本先知的所有財産の先発明のカーナビゲイションの(12)の9画面装置に写し出されるカーナビゲイション平面地図に対して情報を一度に写すために、(12)の二つ折9画面装置を、
横に二つ折の画像二つを、並べて一つは、平面地図カーナビゲイション地図と二つ目は自然カラー画像で有るが、携帯電波で、送られた来たこれから向かう場所のカメラ写真をカ
ーナビゲイション地図写真として、活用するだけでなく、正確な住所を、書き入れる事で、車の無駄な時間を、省いてより良い時間活用としたカーナビゲイションの図7の(119)は、
レールモーターで有り(114,115,)は表裏両面CDカーナビゲイション地図を作動再生する装置で有り、CD表裏両面装置には、平面立体地図の他カラー紹介写真地図とインターネッ
ト紹介番号も記録した両面表裏CDで有る。
そして、(122)は、圧電素子画像電気電波ノイズ取り除き装置で有り、DVDと同じ更にそれ以上の画像電気電波ノイズゴースト取り除きを目的とした(122)圧電素子画像電気電波ノ
イズゴースト取り除き装置であり、圧電素子4電子磁気分割装置によってより奇麗な画像を見る効果発揮する。
先知的所有財産発明の経緯
【００４３】
先知的所有財産発明の経緯とは、特許法第一条では、発明考案の保護を、特許法で謳い発明の利用を図る事と書きながらの特許187条では、特許表示義務まで至ってないそればかり
か、特許法の特許庁職員言い分は、先発明より後の発明に対して他の人間が発明の特許提出を、先発明者の特許提出を、特許庁にした場合、先発明横領が、特許法で、認められる。
金の無い弱者に対しては、金と暇がなければ、特許提出など、いつになるかは解りませんなの言い方にも聞こえてくる特許庁の平等な人権になっていない、特許提出と特許認定と
特開公開表示義務 つまり先知的所有財産権の公開義務を、行わない特許庁のため、誰がいつ何処でどの様に発明したのかも、解らない状態のまま、弱者に先知的所有財産発明考案
日の個人調査つまり、弱者に金を遣わすだけの特許法しか書かない、エリート大学出の考え方を、公開のテレビ局などで、個人それぞれから、話を聞く時代が実際に来てしまった事。 
【００４４】
この事を踏まえて、現在まで、一般国民の著作権取り扱いは、国に証拠として、著作権請求しなければ他のものは、いくらでも真似をする傾向が、明らかであった。
1999年頃の4月末のNHKテレビ放送で、政治家が現在の子供達に今までの国と都道府県市町村の全額借金返済させるのテレビ発言で墫野和夫が、先知的所有財産の内の発明と考案
の略図及び文章を、北海道知事に郵便手紙確認保管してもらう。この事は信用の有る民主党本部 共産党及び朝日テレビなどにも、現在の子供達に借金苦を、味合わせないために、
行った事である。
先知的所有財産公開提出の意図
【００４５】
特許法第79条(先使用による通常実施権)とは特許出願に係わる発明の内容を知らないで自らその発明をし、又は特許出願に係わる発明の内容を知らないでその発明をした者から知得して、特許出願の際現に日本国内に於いてその発明の実施である事業をしている者又はその事業の準備をしている者はその実施又は準備している発明及び事業の目的の範囲内に於いて、その特許出願に係わる特許権について通常実施権を有する。
特許出願に係わる発明の内容を知らないで自らがその発明をしとまず特許法に書かれているが、特許出願作品に対して特許庁が、出願と同時に審査請求つまり、同一特許作品を、
いち早く特許庁は、職権義務公開しなければならないと言える。理由として、発明考案つまり、知的財産とは、先発明及び先考案及び先知的所有財産者が、同一の後発明又は後考案
又は後知的財産によって先発明及び先考案及び先知的所有財産を、超えた同一発明の利益は、横領としか考えられない。
理由として、言い換えれば特許切れ又は著作権切れの先知的所有財産物に対して同じものを、作っても現在の法律では、違法とは、書いてないが、同一先知的財産権期限切れ商品を
、複数の者が作った場合、国の財政経営に対してインフレとデフレを、同時に二つ作る事となり、知的所有財産権期限切れの商品を、国が作って国民全員に平等に配布しない限り所
得の不平等の激しさはなお一層増す事となるおそれがある。
特許の内容を、知らずに出す事は、許される行為と書くならば、発明に対して先発明を、優先し先発明の保護の方法として、郵便物の領収書の改革として、相手の住所と氏名が、印刷
されるべきである。
この方法は、発明考案印刷物郵便封筒日付確認の他、衛生時計時間の郵便物領収書を、作る必要がある。2008年5月1日AM1時9分美馬牛市街地自宅にてニャン カンキチ 
【００４６】
付け加えるならば、家に買いだめ切手又は他から戴いた切手などのポスト投函に対して証拠を、残す観点から、はがき又は封筒の表裏を、読み取って記録して、ポスト投函証明書を、発行出来るポストが未来社会では、こうなってほしい。ただし安いポストに限る。
インターネット発明先提出の場合、衛生時計文書自動書き込みのパソコンとポストを、国が国営の会社として作るべきである。
先発明及び先考案及び先知的所有財産の郵便物送付目的意図2008年5月1日21時3分自宅美馬牛
【００４７】
知的所有財産とは、発明及び考案及び植物の新品種、意匠、著作権物その他の人間の創造的活動により生み出されるもの(発見又は解明かされた自然の法則又は現象であって産業
上の利用可能性があるものを、含む。)商標、商号その他事業活動にもち入れられる商品又は役務を表示するもの及び営業秘密その他の事業活動に有用な技術上又は営業上の情報
を言う。確かに上記に述べたのが知的財産であるが、先発明日及び先考案日又は先意匠又は先著作権などの、日付が明白でなければ、現在の子供達に、国会議員が、国と地方の全額
借金返済させる事を、国会議員が、テレビカメラの前で、言った事は、事実であった。この事実に対して墫野和夫が、先発明及び先考案及び先意匠の事実を、郵便封筒日付消印永遠保
存によって現在の子供達及びこれから、生まれてくる子供達を、救う事が、出来ると考えたからである。
先知的所有財産の個人先発明財産証明の現行2008年の法律と先発明と先考案保護に一番近い特許法の法律文書解釈
【００４８】
現在の特許庁職員の職務として、特許法第一条は、完全に発明の保護と考案の保護が、書かれている事実であっても、特許法39条(先願)同一の発明について異なった日に二つ以上
の特許出願が、あった時は、最先の特許出願人のみが、その発明について特許を受ける事が、出来る。  
上記の特許法第39条(先願)に対して検証して見ます。
同一の発明について異なった日に二つ以上の特許出願が、あった時は最先の特許出願人のみが特許を、受ける事が出来る。この場合特許提出が、異なった日であるから、先提出が、
特許認定なのは、正しい。だが、同一発明の場合、先に発明していた事が、明らかに証明一例では、既に公開していて、他の者に先特許提出された事で、先発明の先知的所有財産の先
発明権利を、失うとするならば、この世の中は、金があれば、後発明でも、貧乏人より、先に特許提出した者が、先知的財産言うなれば先発明の権利を、後発明が、奪う事となれば、莫
大な先知的所有財産の横領又は奪う行為を、許す特許法になってしまうのが、残念である。
【符号の説明】
【００４９】
1      多機能携帯電話
2      テレポーテイションカード装置
3      インターネットアンテナ
4      携帯アンテナ     
5      超細型ロングカード
6      2連超小型MD
7      ナビゲイション止め金
8      ナビゲイションプラス配線
9      ナビゲイションマイナス配線
10     2連振り子型充電池
11     圧電素子4電子磁気分割装置
12     9画面画像装置
13     左側前後カメラ装置
14     右側前後カメラ装置
15     ナビゲイションシステム左アンテナ
16     ナビゲイションシステム右アンテナ
17     左側ミラー装置
18     右側ミラー装置
19     左側バックミラー画像パネル装置
20     右側バックミラー画像パネル装置
21     左側車周囲確認システム画像装置ミラー
22     右側車周囲確認システム画像装置ミラー
23     人と自転車被写体写真
24     女性と男性被写体写真
25     犬と男性被写体写真
26     木と男性被写体写真
27     テレポーテイション自転車ダイオード形態記憶認識写真ICカード
28     テレポーテイション女性ダイオード形態記憶認識写真ICカード                 
29     テレポーテイション男性ダイオード形態記憶認識写真ICカード
30     テレポーテイション木ダイオード形態記憶認識写真ICカード
31     インターネットスイッチ
32     バックミラーカメラテレポーテイションスイッチボタン
33     乗用車道路位置認識確定スイッチボタン
34     ラジオナビゲイションスイッチボタン
35     エアー調整イススイッチボタン
36     緊急車両道路道順設定事前通達スイッチボタン
37     空気圧連絡装置スイッチボタン
38     災害事故報告装置スイッチボタン
39     ブレスレットバイブレイションスイッチボタン
40     ナビゲイションテレビスイッチボタン
41     衛生テレビスイッチボタン
42     月予定週予定インターネットスイッチボタン
43     郵便物住所氏名送り人受け取り人番号スキャナ携帯波連絡装置スイッチボタン
44     テレポーテイション後方カメラスイッチボタン
45     2連結以上ダブル制御モータースイッチボタン
46     カラー色ライトライン装置スイッチボタン
47     ドア開閉テレポーテイション音声映像連絡装置スイッチボタン
48     天井折り畳み超小型ワイヤー棚スイッチボタン
49     全面サイド二枚合わせガラス中間ニクロム線内蔵装置スイッチボタン
50     全ダルマスイッチナビゲイションスイッチボタン
51     ヘットライト電熱線スイッチボタン
52     泥はね防止電熱線スイッチボタン
53     コンサートイベントインターネット情報スイッチボタン
54     子供置いてきぼり携帯電話連絡システム装置スイッチボタン
コメント
2008年6月17日PM19時40分8秒美馬牛塚崎商店へ米茶買い入れへ行く。
2008年6月17日PM19時54分24秒玄米ほうじ茶買って来て飲む美馬牛カンキチ
56     ナビゲイション9画面装置スイッチボタン
57     農作物作付け状況写真インターネットデータースイッチボタン
58     アンテナ自動充電池カードスキャナボタン
59     バッテリー液ゲージ全自動チェックスイッチボタン
60     ダイナモ発電量データーチェックスイッチボタン
61     事故多発地帯メロデイー通達スイッチボタン
62     ナビゲイション手袋指リモコン装置機能スイッチボタン
63     アンテナスピーカースイッチボタン
64     個人薬服用時間連絡スイッチボタン
65     道の駅情報インターネットスイッチボタン
66     ハンドル振れ眠気バイブレイション通達システム スイッチボタン
67     エアーチューブシートベルトスイッチボタン
68     道路危険状態バックミラーカメラ携帯波連絡装置スイッチボタン
69     社外ナビゲイション取り付け説明装置スイッチボタン
70     列車踏み切り事前接近通過時間文字音声バイブレイション通達スイッチボタン
71     落石事前予知携帯波連絡装置スイッチボタン
72     路面接地危険度自動車ライトカメラ通達システムスイッチボタン
73     水量とオイル量とブレーキ油量とミッション油量とクラッチ油量連絡システムスイッチボタン
74     除雪状況カメラ連絡スイッチボタン
75     超小型2連MDスイッチボタン
76     圧電素子4電子磁気分割装置スイッチボタン
77     無害無給油連続作動ダイナモ発電機機能説明スイッチボタン
78     二連振り子型機械式発電機機能説明スイッチボタン
79     ナビゲイション本体ライトカメラ機能スイッチボタン
80     超細型ロングカード機能スイッチボタン
81     二本アンテナ機能スイッチボタン
82     両面表裏CD機能スイッチボタン
83     本体地図CD表裏赤外線録音再生装置機能スイッチボタン
84     二つ折れ画像パネルタッチ画面機能スイッチボタン
85     バックミラーアンテナ画像装置
86     予備スイッチボタン
87     予備スイッチボタン
88     予備スイッチボタン
89     予備スイッチボタン
90     予備スイッチボタン
91     予備スイッチボタン
92     予備スイッチボタン
93     予備スイッチボタン
94     予備スイッチボタン
95     山岳ヘリコプタープロペラ
96     2連結以上モーター
97     GPS装置及び電波中継装置
98     2連振り子型機械式発電機機能スイッチボタン
99     GPSアンテナ
100    山岳ヘリコプター複数ライト説明
101    手袋指リモコンプラス配線
102    手袋指リモコンマイナス配線
103    映像画面カーソル上下移動指リモコンスイッチ
104    映像画面カーソル左右移動指リモコンスイッチ
105    映像画面カーソル決定移動指リモコンスイッチ
106    インターネット画面呼び出し指リモコンスイッチ
107    指リモコンスイッチ
108    自動充電池
109    カーナビゲイション本体ライト
110    カーナビゲイション本体カメラ
111    テレビ画像音声ノーマル回路
コメント
2008年6月17日PM22時17分30秒玄米ほうじ茶再びいただく。美馬牛カンキチ
112    カーナビゲイション本体マイナス電気配線
113    カーナビゲイション本体プラス電気配線
114    赤外線読み込み第一装置
115    赤外線読み込み第二装置
116    山岳ヘリコプター
117    携帯アンテナA
118    携帯アンテナB
119    レールモーター
120    二つ折画像装置蝶番
121    ナビゲイション指リモコン装置
122    圧電素子画像ノイズ取り除き装置
123    ラジオ音声文字ノーマル回路 
【図１】
2011209290.tif 000003
【図２】
2011209290.tif 000004
【図３】
2011209290.tif 000005
【図４】
2011209290.tif 000006
【図５】
2011209290.tif 000007
【図６】
2011209290.tif 000008
【図７】
2011209290.tif 000009
【図８】
2011209290.tif 000010
【図９】
2011209290.tif 000011
【図１０】
2011209290.tif 000012
【図１１】
2011209290.tif 000013
【図１２】
2011209290.tif 000014
【図１３】
2011209290.tif 000015
【図１４】
2011209290.tif 000016
【図１５】
2011209290.tif 000017
【図１６】
2011209290.tif 000018
【図１７】
2011209290.tif 000019
【図１８】
2011209290.tif 000020
【図１９】
2011209290.tif 000021
【図２０】
2011209290.tif 000022
【図２１】
2011209290.tif 000023
【図２２】
2011209290.tif 000024
【図２３】
2011209290.tif 000025